(57)【要約】【課題】  目盛部の色とは異なる有色透明の表示シートにより、正確な残り時間を把握する。【解決手段】  円環目盛部３２は略目盛０の個所で中心方向から放射方向に切断されており、この切断された個所は段差を有する間隙部３３とされている。円環目盛部３２の内側に配されて回動する操作部４０は、回動基板４１と、その裏側に取り付けられた有色透明の表示シート４２とから成り、回動基板４１は外装ケース１０内の計時部にタイマー軸を介して取り付けられている。回動基板４１は時間設定時にはタイマー軸を回動し、計時時にはタイマー軸の回転に従動する。回動基板４１には段差部が設けられており、表示シート４２は段差部の位置において切断部４９を有し、切断部４９の端部は間隙部３３から円環目盛部３２上に引き出され、計時中は回動基板４１と共に反時計方向に回動され、切断部４９の端部により残り時間を知らせる。【選択図】図７
2014149253.tif 000002
【特許請求の範囲】
【請求項１】
外装ケース内のゼンマイ機構に円板状の回動基板をタイマー軸を介して連結し、前記回動基板の周囲に前記外装ケースに一体に固定した円環目盛部を配置し、前記回動基板を前記円環目盛部に対して回動するようにしたタイマーであって、前記回動基板に有色透明で前記円環目盛部を覆う外形が円形の表示シートを取り付け、時間設定時に前記回動基板を時計方向に回動して前記ゼンマイ機構に蓄積力を与えると共に、前記表示シートに設けた切断部の端部を前記円環目盛部に設けた間隙部から前記円環目盛部上に引き出し、計時中には前記ゼンマイ機構の蓄積力により前記回動基板を反時計方向に逆動させると共に前記表示シートを引き戻し、前記端部により残り時間を表示することを特徴とするタイマー。
【請求項２】
前記残り時間の終了と共にベルを鳴らすベル部を設けたことを特徴とする請求項１に記載のタイマー。
【請求項３】
前記回動基板には表面中央を横切る凸条の設定摘みを設け、該設定摘みの片端の側面下方の前記表示シートは前記切断部を中心に向けて設けたことを特徴とする請求項１又は２に記載のタイマー。
【請求項４】
前記設定摘みの片端の側面下方の前記回動基板に段差部を設けたことを特徴とする請求項３に記載のタイマー。
【請求項５】
前記円環目盛部の間隙部と前記回動基板の段差部の高さは略一致させたことを特徴とする請求項４に記載のタイマー。
【請求項６】
前記設定摘みの片端上に指向マークを設けたことを特徴とする請求項３〜５の何れか１つの請求項に記載のタイマー。
【請求項７】
前記表示シートは有色透明の色が時計回りに濃くなるように配置し、又は中心からの角度に応じて有色透明の色を変えたことを特徴とする請求項１〜６の何れか１つの請求項に記載のタイマー。
【発明の詳細な説明】
【技術分野】
【０００１】
本発明は、キッチン等において使用し、残り時間を計時するタイマーに関するものである。
【背景技術】
【０００２】
特許文献１には、図１０に示すように長方形の外装ケース１に円形の目盛部２と設定部３とを設け、外装ケース１内にゼンマイ機構及びベル部を設けたゼンマイ式タイマーが開示されている。
【０００３】
設定部３には中央の設定摘み部３ａが設けられ、この設定摘み部３ａには指示部３ｂが設けられている。設定摘み部３ａを時計回りにゼンマイ機構を巻き上げて蓄積力を貯えてから、指示部３ｂを目盛部２の所定の数値の目盛りに合わせることで、タイマーの設定時間を所望の値に設定することができる。設定部３はゼンマイ機構の戻し力により反時計回りに回動し、設定時間が経過すると指示部３ｂが目盛り０に一致し、ベル音を発して時間経過を警告する。
【先行技術文献】
【特許文献】
【０００４】
【特許文献１】実開昭５８−７６１８７号公報
【発明の概要】
【発明が解決しようとする課題】
【０００５】
この特許文献１のタイマーでは、タイマー全体が例えば白色の場合には、或る程度距離が離れてしまうと、目盛部や設定摘み部３ａが何処を指しているのか分からなくなる。距離が離れた個所からは、設定摘み部３ａが対向する１８０度異なる何れの方向を指しているかが分からなくなり判別し難くなる。
【０００６】
更に、特許文献１のタイマーは、指示部３ｂの指す個所があいまいであり、たとえ設定部３の周囲に目盛線を設けたとしても、至近距離からでも目盛と指示部３ｂとの一致個所を確認しなければ、正確な残り時間を把握できない。同様に、或る程度距離が離れると、正確な残り時間を把握できなくなるという問題がある。
【０００７】
本発明の目的は、上述の課題を解決し、距離が離れた場所からでも残り時間を確実に把握できるタイマーを提供することにある。
【課題を解決するための手段】
【０００８】
上記目的を達成するための本発明に係るタイマーは、外装ケース内のゼンマイ機構に円板状の回動基板をタイマー軸を介して連結し、前記回動基板の周囲に前記外装ケースに一体に固定した円環目盛部を配置し、前記回動基板を前記円環目盛部に対して回動するようにしたタイマーであって、前記回動基板に有色透明で前記円環目盛部を覆う外形が円形の表示シートを取り付け、時間設定時に前記回動基板を時計方向に回動して前記ゼンマイ機構に蓄積力を与えると共に、前記表示シートに設けた切断部の端部を前記円環目盛部に設けた間隙部から前記円環目盛部上に引き出し、計時中には前記ゼンマイ機構の蓄積力により前記回動基板を反時計方向に逆動させると共に前記表示シートを引き戻し、前記端部により残り時間を表示することを特徴とする。
【発明の効果】
【０００９】
本発明に係るタイマーによれば、或る程度距離が離れた場所からでも目盛部の色とは異なる有色透明の表示シートによる目盛表示により、視覚的効果が高く、正確な残り時間を遠方からでも容易に把握できる。
【図面の簡単な説明】
【００１０】
【図１】タイマーの分解斜視図である。
【図２】タイマーの正面図である。
【図３】タイマーの断面図である。
【図４】回動基板の裏面から見た斜視図である。
【図５】操作部の裏面から見た斜視図である。
【図６】操作部の表面から見た斜視図である。
【図７】操作部を回動して時間設定中のタイマーの斜視図である。
【図８】操作部により設定を終了した状態の正面図である。
【図９】変形例のタイマーの斜視図である。
【図１０】従来のタイマーの正面図である。
【発明を実施するための形態】
【００１１】
本発明を図１〜図９に図示の実施例に基づいて詳細に説明する。
図１はタイマーの分解斜視図、図２は組立てた状態の正面図、図３は断面図を示している。外装ケース１０内に計時部２０が配置され、計時部２０上に目盛部３０が固定され、計時部２０と目盛部３０の間に操作部４０が介在され、更に目盛部３０上にカバー５０が取り付けられている。
【００１２】
外装ケース１０内には円形の凹部１１が設けられており、この凹部１１内に計時部２０が固定されている。凹部１１の内周の数個所には爪受部１２が設けられている。
【００１３】
計時部２０については内部の図示を省略しているが、蓄積力を貯えるゼンマイばね等から成るゼンマイ機構と、このゼンマイ機構の蓄勢力により逆転動作する回転速度コントローラと、設定時間の経過をベル音で知らせるベル部とから構成されている。また、回転速度コントローラにより作動するタイマー軸２１が計時部２０から上方に棒状に突出され、その先端の断面は矩形やＤカット状とされている。このタイマー軸２１は回転速度コントローラにより６０分で反時計方向に１回転するようにされている。
【００１４】
目盛部３０は短円筒状の側壁３１と、この側壁３１の内側に設けられ、白地に黒色の目盛線及び数字が記された円環平面状の円環目盛部３２とを有している。円環目盛部３２は略目盛０の個所で中心方向から放射方向に切断されており、この切断された個所の両端は段差を有する間隙部３３とされ、間隙部３３の一方の端部から他方の端部に至る円周方向の間の円環目盛部３２は、緩い螺旋状の円環に形成されている。そして、間隙部３３では反時計回り側の段差端部３４が上方に位置するようにされている。
【００１５】
白地の円環目盛部３２には、１周に渡って時間６０分に相当する６０本の黒線から成る目盛線が印刷又は刻設され、或いは目盛線が印刷されたシートが貼付されており、更に間隙部３３から時計回りに０、５、１０、１５、・・・、５０、５５と目盛線の５本ずつの数に応じ、時間に対応する分（ｍｉｎ）の数字が印刷されている。
【００１６】
側壁３１の下方には複数の爪部３５が突設されており、この爪部３５が外装ケース１０の爪受部１２に嵌合することにより、側壁３１を凹部１１内に稍々埋め込みながら、目盛部３０は外装ケース１０に固定されるようになっている。
【００１７】
操作部４０は円板状の回動基板４１と、回動基板４１の裏側に取り付けられた合成樹脂フィルム又は成型品から成る表示シート４２から成っている。操作部４０は計時部２０のタイマー軸２１を介して計時部２０に取り付けられている。回動基板４１の表面中央を横切るように凸条の設定摘み４３が設けられ、設定摘み４３の上面の片端上には目盛線を指し示す矢印等の指向マーク４４が印刷や刻設により付設されている。また、設定摘み４３の指向マーク４４を設ける側の片端の側面下方の回動基板４１には段差部４５が設けられ、この段差部４５と目盛部３０の間隙部３３との段差の高さは略一致している。回動基板４１の裏面は周方向に渡って、円環目盛部３２の螺旋と同程度の緩い螺旋状になるように形成されている。
【００１８】
更に、図４に示すように操作部４０の裏面中央には、計時部２０から突出するタイマー軸２１の先端と嵌合する嵌合凹部４６が設けられており、段差部４５には表示シート４２の端部を挿し込む切込部４５ａが設けられ、更に回動基板４１の周囲内側には複数本のボス４７が設けられている。
【００１９】
回動基板４１はタイマー軸２１との嵌合による連結後では、計時時にはタイマー軸２１の反時計方向の回転に従動し、時間設定時にはタイマー軸２１を時計方向に回動させるようになっている。回動基板４１の外周円と円環目盛部３２の内周円の大きさは略一致しており、円環目盛部３２に対し回動基板４１は回転自在に嵌め込まれ、回動基板４１の周囲に円環目盛部３２が位置している。
【００２０】
表示シート４２は円環目盛部３２の色に対して区別できる有色透明の円環状とされ、外形は円形で、その外径は円環目盛部３２の外径と一致し、内径は回動基板４１の外径よりも稍々小さくされ、内周付近に回動基板４１のボス４７が挿入される取付孔４８が穿孔されている。なお、表示シート４２は実施例のような円環状ではなく、円形とすることもできる。
【００２１】
また、表示シート４２は回動基板４１の段差部４５の位置において中心に向けて切断部４９が設けられており、図５に示すように取付孔４８に回動基板４１のボス４７が挿入され、ボス４７の先端を溶着することにより固定されている。
図６は操作部４０の表面から見た斜視図であり、表示シート４２は回動基板４１の裏面の螺旋部にならって螺旋状とされ、また切断部４９の端部は回動基板４１の段差部４５に設けられた切込部４５ａに係止され、表示シート４２も切断部４９において段差が設けられている。
【００２２】
表示シート４２は白地の円環目盛部３２に対しては赤色透明が好適であるが、他の色としてもよい。更に、有色透明のフィルムの色の濃淡を、表示シート４２の時計回りに濃くなるようにグラデーション状にしてもよい。これにより、タイマーの残り時間が少なくなると表示シート４２の表示色が濃くなるように見え、残り時間が特に少なくなったときの視覚的に警報する効果が大きくなる。或いは、表示シート４２に異なる角度において色を変えると、色を見て残り時間を判断することもできる。
【００２３】
目盛部３０と操作部４０を外装ケース１０に配置する場合に、円環目盛部３２の間隙部３３は目盛０付近に配置されている。表示シート４２の切断部４９の端部は図７に示すように、間隙部３３から円環目盛部３２上に引き出されている。そして、目盛部３０の上部に、円環状の透明板であるカバー５０を固定し、設定摘み４３を操作する際に表示シート４２に指が触れないようにされている。
【００２４】
実際には、図２に示すように、円環目盛部３２の間隙部３３は目盛５９分の近傍において切断され、切込部４５ａに係止しない側の表示シート４２の切断部４９の端部を、円環目盛部３２の間隙部３３の低段部側に載せて、目盛０に一致させておくと、表示シート４２の端部の引き出しが容易となる。また、不作動時に表示シート４２の端部は目盛０の近傍に僅かに露出していることになり、不使用時であること、或いは計時切れであることを直感で知ることができる。
【００２５】
使用に際し、設定摘み４３を付勢力に抗して時計方向にゼンマイばねを巻き上げて回転動作させると、円環目盛部３２の間隙部３３の隙間から、表示シート４２の切断部４９の端部を先頭にして操作部４０の回転に伴って引き出され、円環目盛部３２上に沿って摺動しながら移動する。この回転動作により、タイマー軸２１を介して時計方向の付勢力が加わり、計時部２０のゼンマイ機構に蓄積力が貯えられる。なお、実施例における最大設定時間は、表示シート４２の切断部４９の端部が円環目盛部３２上を１周する５９分程度とされている。
【００２６】
そして、所定時間分の回動が終わり設定摘み４３から指を離すと、計時部２０はゼンマイばねの蓄積力による巻き戻しにより、タイマー軸２１を介して回動基板４１、表示シート４２が反時計方向に徐々に逆動しながら、「チクタク、チクタク、・・・・・・」と音を立てて計時を開始する。所定時間が経過して計時が終了すると、回動基板４１の反時計方向の回動は停止し、表示シート４２の切断部４９の端部が目盛０に一致し、計時部２０のベル部が作動しベルが鳴り計時の終了を知らせる。
【００２７】
この計時過程で、表示シート４２が円環目盛部３２に沿って戻ることになり、タイマーの残り時間が表示シート４２で覆われて表示され、切断部４９の端部の位置により残り時間を正確に読み取ることができる。例えば、表示シート４２が赤色半透明のフィルムで構成されているとすると、図８に示すように残り時間の１５分の円環目盛部３２は赤色となり、目盛線、数値も透けて見え、切断部４９の端部を基準として残り時間１５分を簡単にかつ正確に読み取ることができる。
【００２８】
回動基板４１の裏面に段差部４５が設けられているので、この段差部４５により、表示シート４２と円環目盛部３２との間に間隙が生じ、表示シート４２が円環目盛部３２に接触しないため、タイマーの経年使用時の表示シート４２の湾曲や、表示シート４２と目盛線間に塵埃が入ったとしても継続して使用可能である。
【００２９】
また変形例として、回動基板４１の裏面に螺旋状にした段差部４５を設けずに平面状とし、その平面裏部に取り付けた接着した操作部４０を用いることもできる。この場合は、表示シート４２の切断部４９の両端で間隙部３３の低段部側の円環目盛部３２を挟み込むように配置し、切断部４９の端部を摺動させることにより、表示シート４２が表示される。
【００３０】
なお、回動基板４１に設定摘み４３を設けずに回動基板４１の頂面上に指向マーク４４を印刷してもよく、この場合には設定操作は回動基板４１の側面を指で掴んで、表示シート４２の切断部４９の端部を基準として回転するようにする。
【００３１】
上述の実施例では、長方形状の外装ケース１０を用いて説明したが、図９に示す変形例のように、円筒状の外装ケース１０’を用いてもよい。また、目盛部３０、操作部４０及び計時部２０を一体とし、外装ケース１０’と嵌合できるようにすれば、外装ケース１０’の形状については適宜に採用してもよい。外装ケース１０’の側面にはベル部の音を放出する音響孔１３が設けられており、外装ケース１０’の形状に合わせて適宜に設けることもできる。
【産業上の利用可能性】
【００３２】
本発明に係るタイマーは、電子レンジ、トースター等の電気機器や玩具に組み込んでもよく、計時の終了と共に接点により電源を遮断するようにすることもできる。
【符号の説明】
【００３３】
１０、１０’  外装ケース
１１  凹部
１２  爪受部
２０  計時部
２１  タイマー軸
３０  目盛部
３１  側壁
３２  円環目盛部
３３  間隙部
３５  爪部
４０  操作部
４１  回動基板
４２  表示シート
４３  設定摘み
４４  指向マーク
４５  段差部
４６  嵌合凹部
４９  切断部
５０  カバー
【図１】
2014149253.tif 000003
【図２】
2014149253.tif 000004
【図３】
2014149253.tif 000005
【図４】
2014149253.tif 000006
【図５】
2014149253.tif 000007
【図６】
2014149253.tif 000008
【図７】
2014149253.tif 000009
【図８】
2014149253.tif 000010
【図９】
2014149253.tif 000011
【図１０】
2014149253.tif 000012